(57)【要約】  【課題】  実際のＯＮ  ＡＩＲ時刻での放送イメージで事前確認が可能な放送進行データプレビュー方法を提供する。  【解決手段】  放送局での放送に用いる、少なくとも本編素材、静止画素材を共通のビデオサーバ１０４に収録しておき、放送進行データに従って実際の放送イメージで、共通のビデオサーバのプレビューラインの素材１２，１３を使って、少なくとも本編素材、静止画素材を事前プレビューすることを特徴とする。【選択図】  図１
2006033117.tif 000002
【特許請求の範囲】
【請求項１】
放送局での放送に用いる、少なくとも本編素材、静止画素材を共通のビデオサーバに収録しておき、放送進行データに従って実際の放送イメージで、前記共通のビデオサーバのプレビューラインを使って、少なくとも本編素材、静止画素材を事前プレビューすることを特徴とする放送進行データプレビュー方法。
【請求項２】
放送局での放送に用いる、少なくとも本編素材、静止画素材を共通のビデオサーバに収録しておき、放送進行データを画面表示するとともに、該放送進行データに従って実際の放送イメージで、前記共通のビデオサーバに収録されている少なくとも本編素材、静止画素材を順次再生し、前記共通のビデオサーバのプレビューラインを使って画面表示して少なくとも本編素材、静止画素材を事前プレビューすることを特徴とする放送進行データプレビュー方法。
【発明の詳細な説明】
【技術分野】
【０００１】
本発明は、放送進行データに従って、本編（番組）素材、ＣＭ素材などの放送素材を事前プレビューする放送進行データプレビュー方法に関する。
【背景技術】
【０００２】
従来は、本編（番組）素材、ＣＭ素材、静止画素材、音声素材を、各々別々のビデオサーバに登録して管理していた。そのため、本編素材のみ、ＣＭ素材のみ、静止画素材のみ、音声素材のみを各々別々に素材の事前プレビューを行なっていた。なおＣＭ素材のみは、放送進行データに従って、連続的に事前プレビューする機能を有していた。
【０００３】
このため、（１）本編素材とＣＭ素材の繁ぎ目に問題がないか、（２）本編中の静止画スーパー／ロールスーパー等のタイミング、内容に問題がないか等の、実際の放送進行に沿った事前確認ができなかった。
【０００４】
またＣＭ素材のみ、放送進行データに従って、１日分のＣＭ素材を放送順に連続的に事前プレビューするだけでは、上記問題を解決できなかった。
【０００５】
本事前プレビューに関する公開公報を調査したところ、実際の放送進行データに従って、複数の映像／音声素材記憶装置（別々のビデオサーバに該当）をＯＮ  ＡＩＲ（送出）制御するＯＡ制御データを有する自動番組制御装置（送出制御コンピュータに該当）で、ＯＡ制御データの発行（実際の）時刻から指定時間マイナスした時刻の事前確認用制御データを自動生成し、ＯＡ制御データに従って複数の映像／音声素材記憶装置のＯＡ制御を行いながら、同時に事前確認用制御データに従ってＯＮ  ＡＩＲする映像／音声素材を事前確認する技術が公開されていた（特許文献１参照）。
【０００６】
【特許文献１】特開平１０−３２２２９５号公報
【発明の開示】
【発明が解決しようとする課題】
【０００７】
本技術によれば、ＯＮ  ＡＩＲする映像／音声素材を事前確認することが可能となるので、ＯＡ事故を事前に防ぐことができる。しかしながら、ＯＮ  ＡＩＲする映像／音声素材のＯＮ  ＡＩＲラインを使ってＯＮ  ＡＩＲする時刻より指定時間前で事前確認するため、実際のＯＮ  ＡＩＲ時刻での事前確認ではなく、またＯＡ制御データの発行（実際の）時刻から指定時間マイナスした時刻の事前確認用制御データを自動生成する技術を必要とする。
【０００８】
本発明の目的は、実際のＯＮ  ＡＩＲ時刻での放送イメージで事前確認が可能な放送進行データプレビュー方法を提供することにある。
【課題を解決するための手段】
【０００９】
本発明は、放送局での放送に用いる、少なくとも本編素材、静止画素材を共通のビデオサーバに収録しておき、放送進行データに従って実際の放送イメージで、前記共通のビデオサーバのプレビューラインを使って、少なくとも本編素材、静止画素材を事前プレビューすることを特徴とする。
【００１０】
また本発明は、放送局での放送に用いる、少なくとも本編素材、静止画素材を共通のビデオサーバに収録しておき、放送進行データを画面表示するとともに、該放送進行データに従って実際の放送イメージで、前記共通のビデオサーバに収録されている少なくとも本編素材、静止画素材を順次再生し、前記共通のビデオサーバのプレビューラインを使って少なくとも本編素材、静止画素材を画面表示して事前プレビューすることを特徴とする。
【発明の効果】
【００１１】
本発明によれば、実際のＯＮ  ＡＩＲ時刻での放送イメージで事前確認が可能な放送進行データプレビュー方法を得ることができる。
【発明を実施するための最良の形態】
【００１２】
図１は、本発明の放送進行データプレビュー方法を実施するところの、本編（番組）素材、ＣＭ素材、静止画素材、音声素材を統合した放送システムの実施の形態のブロック構成図である。
【００１３】
図１において、１０１は映像音声素材、１０２は映像音声再生装置、１０３は分配器、１０４はビデオサーバ、１０５はスイッチャー、１０６はスーパー装置、１０７は映像モニタ、１０８はキャプチャーボード、１０９は登録／プレビュー卓、１１０はデータサーバ、１１１は制御用コンピュータ、１１２は上位システム（データ管理システム）、１１３は上位システム（送出制御コンピュータ）、１１４は分配器、１１５はモニタである。
【００１４】
登録／プレビュー卓１０９は、キャプチャーボード１０８を経由して、データサーバ１１０と制御用コンピュータ１１１と上位システム（データ管理システム）１１２と上位システム（送出制御コンピュータ）１１３とネットワークにて接続されている。
【００１５】
データサーバ１１０は、本編（番組）素材、ＣＭ素材、静止画素材、音声素材の登録用情報、および放送進行データを管理している。
【００１６】
制御用コンピュータ１１１は、登録／プレビュー卓１０９からの登録コマンド（制御信号）により、映像音声再生装置１０２とビデオサーバ１０４の制御を行い、映像音声再生装置１０２から再生された映像音声信号１０は分配器１０３を通り、分配器１０３を通った映像音声信号１１はビデオサーバ１０４に記録され登録される。
【００１７】
またビデオサーバ１０４に登録後、登録／プレビュー卓１０９からの再生コマンドにより、ビデオサーバ１０４の再生を行うと、ビデオサーバ１０４のプレビューラインからの映像音声信号１２，１３は、スイッチャー１０５を経由して映像モニタ１０７に入力され、プレビューされる。
【００１８】
また本編素材に静止画素材のスーパーを行う必要がある場合は、映像音声信号（本編素材）１２、映像音声信号（静止画素材）１３をスーパー装置１０６に入力することで、本編（番組）素材にスーパーされた映像音声信号１４が映像モニタ１０７に入力され、プレビューされる。
【００１９】
プレビューして事前確認後、上位システム（送出制御コンピュータ）１１３からの送出コマンドを受けると、ビデオサーバ１０４の送出（ＯＮ  ＡＩＲ）ラインからの映像音声信号１５が、分配器１１４を経由して外部に送出（ＯＮ  ＡＩＲ）され、またその際モニタ１１５でモニタされる。
【００２０】
図２は、放送進行データプレビューを行う作業フローを示す図である。
【００２１】
まずステップ２０１で、データサーバ１１０は上位システム（データ管理システム）１１２から各素材（本編素材、ＣＭ素材、静止画素材、音声素材）のファイリングデータを受信する。
【００２２】
次にステップ２０２で、登録／プレビュー卓１０９はデータサーバ１１０から各素材（本編素材、ＣＭ素材、静止画素材、音声素材）のファイリングデータを読み込み、制御用コンピュータ１１１にファイリングコマンドを送ると、制御用コンピュータ１１１は映像音声再生装置１０２とビデオサーバ１０４を制御して、映像音声信号１０，１１をビデオサーバ１０４に収録する。
【００２３】
次にステップ２０３で、データサーバ１１０は上位システム（データ管理システム）１１２から一日分の放送進行スケジュールを格納している放送進行データを受信する。
【００２４】
次にステップ２０４で、登録／プレビュー卓１０９はデータサーバ１１０から放送進行データを読み込み、放送進行データ画面を表示する。
【００２５】
図３は、登録／プレビュー卓１０９に表示の放送進行データ画面の例である。図３には、番組名／副題／放送日／放送開始時刻／放送終了時刻などの番組に付随した情報を表示するとともに、その番組内の放送進行データを示すスケジュール構成（何時何分から本編を何秒送出し、何時になったらＣＭに切替えるなどのスケジュール）を表示している。
【００２６】
次にステップ２０５で、図３のプレビュー開始ボタン３０１を押してプレビュー開始すすと、登録／プレビュー卓１０９は制御用コンピュータ１１１に制御コマンドを送信する。制御用コンピュータ１１１は放送進行データに従って、ビデオサーバ１０４を制御し、放送進行データにしたがって、収録されている各素材（本編素材、ＣＭ素材、静止画素材、音声素材）を順次再生し、ビデオサーバ１０４のプレビューラインから映像モニタ１０７で表示する。また本編素材に静止画素材のスーパーを行う必要がある場合は、スーパー装置１０６により静止画がスーパーされた本編素材を、映像モニタ１０７で表示する。
【００２７】
次にステップ２０６で、映像モニタ１０７に表示された、放送進行データに従ったプレビュー画面をみて、内容／制御タイミングが正しいかを判断する。正しい場合は、ステップ２０７で、図３のプレビュー終了ボタン３０２を押して、プレビューを終了する。
【００２８】
ステップ２０６で正しくない場合は、ステップ２０８で、上位システム（データ管理システム）１１２で放送進行データを修正して、ステップ２０３に戻し、もう一度放送進行データに従ったプレビューを行う。
【００２９】
本実施の形態によれば、放送進行データに従ったプレビュー画面をみることで、実際のＯＮ  ＡＩＲ時刻での放送イメージでの事前確認ができる。
【図面の簡単な説明】
【００３０】
【図１】本発明の放送進行データプレビュー方法を実施するところの、本編（番組）素材、ＣＭ素材、静止画素材、音声素材を統合した放送システムの実施の形態のブロック構成図である。
【図２】放送進行データプレビューを行う作業フローを示す図である。
【図３】登録／プレビュー卓に表示の放送進行データ画面の例である。
【符号の説明】
【００３１】
１０１…映像音声素材、１０２…映像音声再生装置、１０３…分配器、１０４…ビデオサーバ、１０５…スイッチャー、１０６…スーパー装置、１０７…映像モニタ、１０８…キャプチャーボード、１０９…登録／プレビュー卓、１１０…データサーバ、１１１…制御用コンピュータ、１１２…上位システム（データ管理システム）、１１３…上位システム（送出制御コンピュータ）、１１４…分配器、１１５…モニタ、３０１…プレビュー開始ボタン、３０２…プレビュー終了ボタン。
【図１】
2006033117.tif 000003
【図２】
2006033117.tif 000004
【図３】
2006033117.tif 000005